(57)【要約】【課題】本発明は、口腔内挿入装置に関するもので、口腔内カメラ装置の操作性を高めることを目的とするものである。【解決手段】そしてこの目的を達成するために本発明は、口腔内の映像を撮像し、この映像信号を生成する撮像部９と、この撮像部９からの映像信号を映像ケーブル２に出力する映像信号出力部１２と、撮像部９で撮影された映像信号を記録するための操作を行う操作部１０と、を備え、操作部１０からの映像を記録するための操作信号を、撮像部９からの映像信号に合成し、この合成された映像信号を映像信号出力部を経由して出力する記録制御信号合成部１１を設けた構成とした。【選択図】図２
2014064651.tif 000002
【特許請求の範囲】
【請求項１】
口腔内の映像を撮像する口腔内撮像装置と、この口腔内撮像装置と映像ケーブルによって接続された映像記録装置により構成された口腔内撮像記録システムにおける口腔内撮像装置であって、
口腔内の映像を撮像し、この映像信号を生成する撮像部と、
この撮像部からの映像信号を映像ケーブルに出力する映像信号出力部と、
前記撮像部で撮影された映像信号を記録するための操作を行う操作部と、を備え、
前記操作部からの映像を記録するための操作信号を、前記撮像部からの映像信号に合成し、
この合成された映像信号を前記映像信号出力部を経由して出力する記録制御信号合成部を設けた口腔内撮像装置。
【請求項２】
前記記録制御信号合成部は、映像信号の静止画の記録開始を制御する記録制御信号を合成する構成とした請求項１に記載の口腔内撮像装置。
【請求項３】
前記記録制御信号合成部は、映像信号の動画の記録開始、終了を制御する記録制御信号を合成する構成とした請求項１または２に記載の口腔内撮像装置。
【請求項４】
前記記録制御信号合成部は、ＮＴＳＣ形式の映像信号におけるＶＢＩＤの区間に映像を記録するための記録制御信号を合成する構成とした請求項１から３のいずれか一つに記載の口腔内撮像装置。
【請求項５】
口腔内の映像を撮像する口腔内撮像装置と、この口腔内撮像装置と映像ケーブルによって接続された映像記録装置により構成された口腔内撮像記録システムにおける映像記録装置であって、
映像入力部と、
この映像入力部からの映像信号に合成された操作信号を検出する記録制御信号検出部と、
この記録制御信号検出部からの検出に応じて映像信号の記録を制御する記録部と、を備えた映像記録装置。
【請求項６】
映像入力部からの映像信号を表示する表示部を備えた請求項５に記載の映像記録装置。
【請求項７】
請求項１から４のいずれか一つに記載の口腔内撮像装置と、請求項５または６のいずれか一つに記載の映像記録装置と、前記口腔内撮像装置と映像記録装置を接続する映像ケーブルと、を備えた口腔内撮像記録システム。
【発明の詳細な説明】
【技術分野】
【０００１】
本発明は、例えば口腔内カメラなどの口腔内の映像を撮影、記録する装置に関するものである。
【背景技術】
【０００２】
従来の口腔内映像記録システムの構成は、以下のような構成となっていた。
【０００３】
すなわち、映像を撮像するカメラ装置と、このカメラ装置と映像ケーブルによって接続された映像記録装置により構成された撮像記録システムであり、カメラ装置本体には、映像を撮像し、映像信号を生成する撮像部と、この撮像部で撮影された映像信号を記録するための操作を行う操作部と、を備え、映像記録装置側には、前記映像ケーブルを経由して操作部からの操作信号を入力する制御部と、この制御部に接続され、映像信号を記録する記録部と、を備えた構成となっていた（例えば下記特許文献１）。
【先行技術文献】
【特許文献】
【０００４】
【特許文献１】特開２０１２−１３５０４５号公報
【発明の概要】
【発明が解決しようとする課題】
【０００５】
上記従来例における課題は、カメラ装置の操作性が悪いことであった。
【０００６】
すなわち、カメラ装置と映像記録装置を接続する映像ケーブルには、映像信号に加えて、操作部からの信号ラインが必要となるので、映像ケーブルが重くなり、操作負荷がかかることとなり、カメラ装置の操作性が悪くなってしまっていた。
【０００７】
特に口腔内を撮像するカメラについては、使用者である歯科医は、カメラを片手に持ち、もう片方の手で器具、もしくは、患者の口腔内を保持している場合が多く、カメラを片手で操作するために、その操作性が高いことが望まれる。
【０００８】
そこで本発明は、カメラ装置の操作性を高めることを目的とするものである。
【課題を解決するための手段】
【０００９】
そして、この目的を達成するために本発明は、口腔内の映像を撮像する口腔内撮像装置と、この口腔内撮像装置と映像ケーブルによって接続された映像記録装置により構成された口腔内撮像記録システムにおける口腔内撮像装置であって、口腔内の映像を撮像し、この映像信号を生成する撮像部と、この撮像部からの映像信号を映像ケーブルに出力する映像信号出力部と、前記撮像部で撮影された映像信号を記録するための操作を行う操作部と、を備え、前記操作部からの映像を記録するための操作信号を、前記撮像部からの映像信号に合成し、この合成された映像信号を前記映像信号出力部を経由して出力する記録制御信号合成部を設けた構成とし、これにより所期の目的を達成するものである。
【発明の効果】
【００１０】
以上のように本発明は、口腔内の映像を撮像する口腔内撮像装置と、この口腔内撮像装置と映像ケーブルによって接続された映像記録装置により構成された口腔内撮像記録システムにおける口腔内撮像装置であって、口腔内の映像を撮像し、この映像信号を生成する撮像部と、この撮像部からの映像信号を映像ケーブルに出力する映像信号出力部と、前記撮像部で撮影された映像信号を記録するための操作を行う操作部と、を備え、前記操作部からの映像を記録するための操作信号を、前記撮像部からの映像信号に合成し、この合成された映像信号を前記映像信号出力部を経由して出力する記録制御信号合成部を設けた構成としたものであるので、カメラ装置の操作性を高めることができる。
【００１１】
すなわち、本発明においては、口腔内撮像装置の操作部からの映像を記録するための操作信号を、撮像部からの映像信号に合成して映像ケーブルで転送するので、映像ケーブルの信号線を削減できることとなるので、その結果として、映像ケーブルが軽くなり、操作負荷が軽くなるので、口腔内撮像装置であるカメラ装置の操作性を良くすることができるのである。
【図面の簡単な説明】
【００１２】
【図１】本発明の一実施形態の斜視図
【図２】その制御ブロック図
【図３】その主要部の制御ブロック図
【図４】その主要部の制御ブロック図
【図５】その主要部の図
【発明を実施するための形態】
【００１３】
以下、本発明の一実施形態を、この口腔内撮像記録システムの一例として、口腔内撮像装置としての口腔内カメラに適用したものを、添付図面を用いて説明する。
【００１４】
図１において、１は、口腔内カメラのカメラ本体を示す。カメラ本体１は、ほぼ円筒状の形状をしており、このカメラ本体１の後端側には電源および信号入出用の映像ケーブル２が接続されており、この映像ケーブル２の他端は、表示部３を含む映像記録装置４と接続されている。
【００１５】
また、このカメラ本体１の前方側には、口腔内挿入部５が装着されており、カメラ本体１の右側面には、前記映像記録装置４の表示部３に対して、記録した映像信号の再生、停止、早送り、巻き戻しを操作、および、静止画モードと動画モードを切り替えるためのモード切替を行うための操作パネル６ａが設けられ、さらに、カメラ本体１の上面には、操作部として、映像信号の記録を行うための記録操作ボタン７が設けられている。
【００１６】
上述した口腔内挿入部５では、この先端下方側には、被写体となる口腔内部を撮像するための撮像窓６が設けられており、この撮像窓６より撮像された映像は、口腔内挿入部５内に配置されたレンズ群を経由して適切な映像光に変換され、この映像光はカメラ本体１内に設けられた撮像部によって電気的な映像信号に変換され、映像ケーブル２を通って映像記録装置４側の表示部３に送られる。
【００１７】
使用者は、この表示部３に映された映像を見ながら、所望の静止画、もしくは、動画に対して、カメラ本体１の上面に設けられた記録操作ボタン７を押すことで、その時の映像信号が、映像記録装置４に設けられた記録媒体２７に記録されることになる。
【００１８】
口腔内カメラが映した映像に対して、静止画で記録するか、動画で記録するかについては、上述したように操作パネル６ａに設けた静止画モードと動画モードを切り替えるためのモード切替スイッチによって設定可能であり、静止画モードに設定した場合は、記録操作ボタン７を押すタイミングで静止画が記録媒体２７に記録され、動画モードに設定した場合は、記録操作ボタン７を押すと、動画の記録が開始されることになり、２回目に記録操作ボタン７を押すことで、動画の記録が停止する。
【００１９】
図２に口腔内撮像記録システムの制御ブロック図を示す。口腔内撮像記録システムは、口腔内の映像を撮像する口腔内撮像装置８と、この口腔内撮像装置８と映像ケーブル２によって接続された映像記録装置４により構成されている。
【００２０】
まず、口腔内撮像装置８側の制御ブロックの説明を行う。
【００２１】
まず、撮像部９では、口腔内挿入部５内に配置されたレンズ群を経由して、口腔内の映像を適切な映像光に変換し、この映像光を撮像素子によって、電気的な映像信号に変換している。次に、もし、記録したい映像の場合には、操作部１０の記録操作ボタン７を押すことで、操作部１０より操作信号が記録制御信号合成部１１に入力され、記録制御信号合成部１１は、所定の映像信号に対して記録制御信号を合成する。そして、映像信号出力部１２からの映像信号が映像ケーブル２を介して出力される。
【００２２】
次に、映像記録装置４側の制御ブロック図について説明する。
【００２３】
まず、口腔内撮像装置８の映像信号出力部１２からの映像信号は、映像ケーブル２を介して映像記録装置４側の映像信号入力部１３に入力される。映像信号入力部１３では、この映像入力のＡＤ変換を行い、デジタル値に変換する。
【００２４】
次に、デジタル化された映像信号に対して、記録制御信号検出部１４では、映像信号の所定の領域に記録制御信号が合成されているかどうかを検出する。もし、記録制御信号が検出された場合には、記録制御信号検出部１４は、記録部１５に対して、所定の映像信号の記録を指示する。映像信号入力部１３からの映像信号は、記録制御信号検出部１４を経由して、表示部３に表示されることになる。
【００２５】
次に、図３を用いて、口腔内撮像装置８の記録制御信号合成部１１について更に詳細に説明を行う。
【００２６】
図３における、点線の枠の部分が、記録制御信号合成部１１の部分である。
【００２７】
映像信号同期部１６は、撮像部９からの映像信号に対して、この映像信号の所定の領域が、時間軸上のどのタイミングで入力されているかを認識する。映像信号同期部１６では、映像信号の所定の領域を制御部１７に通知していて、上述したように、制御部１７は、操作部１０から操作信号が入力されると、映像信号の所定の領域に対して、記録制御信号を合成する。
【００２８】
この記録制御信号は、制御部１７からＤＡ変換部１８を経由して、アナログ信号として生成される。
【００２９】
アナログ信号として生成された記録制御信号は、信号合成部１９において、撮像部９からの映像信号の所定の領域に合成されることになる。
【００３０】
次に、図４を用いて、映像記録装置４側の記録制御信号検出部１４について更に詳細に説明を行う。
【００３１】
図４における、点線の枠の部分が、記録制御信号検出部１４の部分である。
【００３２】
まず、映像信号入力部１３でデジタル化された映像信号は、信号検出部２０に入力され、
信号検出部２０では、映像信号を同期して、所定の領域の信号を確認する。この所定の領域に対して、記録制御信号が検出された場合には、信号検出部２０は、制御部２１に対して、記録制御信号が検出されたことを通知する。
【００３３】
次に制御部２１は、記録部１５に対して、所定の映像信号を記録媒体２７に記録するよう制御する。
【００３４】
図５に映像信号を示す。
【００３５】
上述した映像信号はＮＴＳＣのフォーマットに準じており、ＮＴＳＣの信号フォーマットには、垂直帰線消去期間について、データを格納する領域を備えている。この領域をＶＢＩＤ領域２２（Ｖｅｒｔｉｃａｌ  Ｂｌａｎｋｉｎｇ  Ｉｎｔｅｒｖａｌ  Ｄａｔａ）という。
【００３６】
ＶＢＩＤ領域２２には、図５に示すようにＷＩＤＥ情報領域２３、ヘッダー領域２４、著作権情報領域２５、ＣＲＣ領域２６があるが、記録制御信号は、この垂直帰線消去期間の所定の水平ラインとして、第２０ラインと、第２８３ラインのＶＢＩＤ領域２２の信号レベルに、電圧レベルとして７０ＩＲＥとして、約０．７Ｖの電圧を合成している。
【００３７】
これら所定のＶＢＩＤ領域２２における信号レベルの有無を検出することで、映像信号の記録制御を判断することができるのである。
【００３８】
以上のように、本発明においては、口腔内撮像装置８の操作部１０からの映像を記録するための操作信号を、撮像部９からの映像信号に合成して映像ケーブル２で転送するので、映像ケーブル２の信号線を削減できることとなるので、その結果として、映像ケーブル２が軽くなり、操作負荷が軽くなるので、口腔内撮像装置８の操作性を良くすることができるのである。
【産業上の利用可能性】
【００３９】
以上のように本発明は、口腔内の映像を撮像する口腔内撮像装置と、この口腔内撮像装置と映像ケーブルによって接続された映像記録装置により構成された口腔内撮像記録システムにおける口腔内撮像装置であって、口腔内の映像を撮像し、この映像信号を生成する撮像部と、この撮像部からの映像信号を映像ケーブルに出力する映像信号出力部と、前記撮像部で撮影された映像信号を記録するための操作を行う操作部と、を備え、前記操作部からの映像を記録するための操作信号を、前記撮像部からの映像信号に合成し、この合成された映像信号を前記映像信号出力部を経由して出力する記録制御信号合成部を設けた構成としたものであるので、カメラ装置の操作性を高めることができる。
【００４０】
すなわち、本発明においては、口腔内撮像装置の操作部からの映像を記録するための操作信号を、撮像部からの映像信号に合成して映像ケーブルで転送するので、映像ケーブルの信号線を削減できることとなるので、その結果として、映像ケーブルが軽くなり、操作負荷が軽くなるので、口腔内撮像装置であるカメラ装置の操作性を良くすることができるのである。
【００４１】
したがって、例えば、口腔内カメラなどの口腔内に挿入する装置全般に広く活用が期待されるものである。
【符号の説明】
【００４２】
１  カメラ本体
２  映像ケーブル
３  表示部
４  映像記録装置
５  口腔内挿入部
６ａ  操作パネル
６  撮像窓
７  記録操作ボタン
８  口腔内撮像装置
９  撮像部
１０  操作部
１１  記録制御信号合成部
１２  映像信号出力部
１３  映像信号入力部
１４  記録制御信号検出部
１５  記録部
１６  映像信号同期部
１７  制御部
１８  ＤＡ変換部
１９  信号合成部
２０  信号検出部
２１  制御部
２２  ＶＢＩＤ領域
２３  ＷＩＤＥ情報領域
２４  ヘッダー領域
２５  著作権情報領域
２６  ＣＲＣ領域
２７  記録媒体
【図１】
2014064651.tif 000003
【図２】
2014064651.tif 000004
【図３】
2014064651.tif 000005
【図４】
2014064651.tif 000006
【図５】
2014064651.tif 000007